(57)【要約】      （修正有）【課題】設置場所を選ばない無電源式スパイラル自動販売機を提供する。【解決手段】硬貨投入口２と、硬貨投入口に所定の金額が投入された際に、第１の所定量回転可能となる回転ハンドル３と、ピッチ間に商品を保持する縦型のスパイラル部材と、商品取り出し口５と、を有し、スパイラル部材は、回転ハンドルの第１の所定量の回転に対応して、３６０度回転し、ピッチ間に保持された商品のうち、最先端側のピッチ間に保持された商品が商品取り出し口に搬送されるよう構成されている。【選択図】図１
0003225921.tif 000002
【実用新案登録請求の範囲】
【請求項１】
硬貨投入口と、
前記硬貨投入口に所定の金額が投入された際に、第１の所定量回転可能となる回転ハンドルと、
ピッチ間に商品を保持する縦型のスパイラル部材と、
商品取り出し口と、
を有し、
前記スパイラル部材は、前記回転ハンドルの前記第１の所定量の回転に対応して、３６０度回転し、前記ピッチ間に保持された前記商品のうち、最先端側の前記ピッチ間に保持された前記商品が前記商品取り出し口に搬送されるよう構成されている、無電源式スパイラル自動販売機。
【請求項２】
前記無電源式スパイラル自動販売機は更に、前記スパイラル部材に保持された商品を前記無電源式スパイラル自動販売機の外側確認するために、透過性の材料で構成された展示部が設けられている、
請求項１に記載の無電源式スパイラル自動販売機。
【請求項３】
前記無電源式スパイラル自動販売機は、本体が筐体であり、前記筐体の下方に前記本体を支持する支持部材を有する、
請求項１又は２に記載の無電源式スパイラル自動販売機。
【請求項４】
硬貨投入口と、
前記硬貨投入口に所定の金額が投入された際に、第１の所定量回転可能となる回転ハンドルと、
ピッチ間に商品を保持する横型のスパイラル部材と、
商品取り出し口と、
前記スパイラル部材に保持された前記商品が落下しないように、前記スパイラル部材の下方側に設けられた支持台と、
を有し、
前記スパイラル部材は、前記回転ハンドルの前記第１の所定量の回転に対応して、３６０度回転し、前記ピッチ間に保持された前記商品のうち、最先端側の前記ピッチ間に保持された前記商品が前記商品取り出し口に搬送されるよう構成されている、無電源式スパイラル自動販売機。
【請求項５】
前記無電源式スパイラル自動販売機は更に、前記スパイラル部材に保持された商品を前記無電源式スパイラル自動販売機の外側確認するために、透過性の材料で構成された展示部が設けられている、
請求項４に記載の無電源式スパイラル自動販売機。
【請求項６】
前記無電源式スパイラル自動販売機は、本体が筐体であり、前記筐体の下方に前記本体を支持する支持部材を有する、
請求項４又は５に記載の無電源式スパイラル自動販売機。
【考案の詳細な説明】
【技術分野】
【０００１】
本考案は、無電源式スパイラル自動販売機に関する。
【背景技術】
【０００２】
従来より、例えば病院などにおいて、食品、飲料及び雑貨品等を販売する電源式スパイラル自動販売機が知られている。例えば、特許文献１には、電源が接続され、金銭が投入されることで内部のスパイラルが回転して商品が落下して、商品を受け取り可能となる電動式スパイラル自動販売機が開示されている。
【先行技術文献】
【特許文献】
【０００３】
【特許文献１】実開昭５９−１５５６７６号公報
【考案の概要】
【考案が解決しようとする課題】
【０００４】
しかしながら、特許文献１に記載の自動販売機は、電動式であることから、設置場所又はその近傍には電源コンセントが必須となる。
【０００５】
本考案は、上記の点に鑑み提案されたものであり、その目的として、一つの側面では、設置場所を選ばない無電源式スパイラル自動販売機を提供することにある。
【課題を解決するための手段】
【０００６】
本発明の実施形態に係る無電源式スパイラル自動販売機は、
硬貨投入口と、
前記硬貨投入口に所定の金額が投入された際に、第１の所定量回転可能となる回転ハンドルと、
ピッチ間に商品を保持する縦型のスパイラル部材と、
商品取り出し口と、
を有し、
前記スパイラル部材は、前記回転ハンドルの前記第１の所定量の回転に対応して、３６０度回転し、前記ピッチ間に保持された前記商品のうち、最先端側の前記ピッチ間に保持された前記商品が前記商品取り出し口に搬送されるよう構成されている。
【考案の効果】
【０００７】
本発明の実施形態によれば、一つの側面では、設置場所を選ばない無電源式スパイラル自動販売機を提供することができる。
【図面の簡単な説明】
【０００８】
【図１】本実施形態に係る無電源式縦型スパイラル自動販売機の概略斜視図である。
【図２】本実施形態に係る無電源式縦型スパイラル自動販売機の主要部分の概略正面図である。
【図３】本実施形態に係る無電源式横型スパイラル自動販売機の概略斜視図である。
【図４】本実施形態に係る無電源式横型スパイラル自動販売機の内部の概略斜視図である。
【考案を実施するための形態】
【０００９】
以下、図面を参照して本実施形態に係る無電源式スパイラル自動販売機について、詳細に説明する。
【００１０】
（実施例１の無電源式スパイラル自動販売機の構成例）
先ずは、後述するスパイラル部材を高さ方向に配置する無電源式縦型スパイラル自動販売機の実施例について、図を参照して説明する。
【００１１】
図１に、本実施形態に係る無電源式縦型スパイラル自動販売機の概略斜視図を示す。また、図２に、本実施形態に係る無電源式縦型スパイラル自動販売機の主要部分の概略正面図を示す。
【００１２】
図１及び図２に示すように、本実施例に係る無電源式縦型スパイラル自動販売機１００は、例えば金属から構成される直方体（立方体であっても良い）である筐体１を有する。無電源式縦型スパイラル自動販売機１００では、後述するスパイラル部材を高さ方向に配置するため、筐体１は、通常縦長の直方体となることが多い。
【００１３】
筐体１は、通常、前面又は裏面のいずれか一方の面を開口した本体と、この本体の開口を開閉自在に覆う外扉を備えて構成されており、この外扉を介して、内部に商品陳列可能に構成されている。
【００１４】
筐体１の正面側には、商品を購入するための硬貨を投入する硬貨投入口２と、硬貨投入口２に所定の金額が投入された際に、第１の所定量回転可能となる回転ハンドル３と、筐体１内に保持された商品を展示する展示部４と、使用者が購入した商品を取り出す商品取り出し口５と、が設けられる。
【００１５】
また筐体１の側面側にも、筐体１の正面側と同様に、筐体１内に保持された商品を展示する展示部４が設けられてもよいが、筐体１の側面側には、展示部４が設けられていなくても良い。
【００１６】
硬貨投入口２は、販売する商品の値段に応じて、所定の金額、例えば、１００円、２００円、３００円、５００円などの金額を投入可能に構成されている。そして、回転ハンドル３は、通常時は回転不能に構成されており、この硬貨投入口２に上記所定の金額が投入された際に、第１の所定量回転可能となるように構成されている。なお、筐体１の内部には、図示しない硬貨収納部を有しており、投入された硬貨は、この硬貨収納部に収納される。
【００１７】
展示部４は、商品の購入者が実際の商品を目視確認できるよう、及び、商品販売時に購入者の購入した商品が商品取り出し口５に搬出される販売動作を目視確認できるように設けられており、例えば、ガラスやプラスチック等の透過性の材料で構成されている。また、展示部４を設けることで、商品が完売していることも容易に確認することができる。
【００１８】
商品取り出し口５は、展示部４より下方に構成され、後述する商品購入方法により展示部４から商品取り出し口５に落下した商品を、筐体１の外部から取り出し可能に構成されており、図１に示す例では、商品取り出し口５は、取出口扉を有する。なお、展示部４と商品取り出し口５との間には、商品を商品取り出し口５へと誘導する図示しないガイド部材を設けても良い。
【００１９】
なお、無電源式縦型スパイラル自動販売機１００は、筐体１を直接、地面等の設置場所に設置しても良いし、図１に示すように、台などの支持部材７を筐体１の底面に設けても良い。支持部材７を設ける場合、限定されないが、通常、筐体１の底面が０．８ｍ乃至１ｍ程度の支持部材７を設け、地面上に無電源式縦型スパイラル自動販売機１００を設置しても良いし、１０ｃｍ乃至３０ｃｍ程度の支持部材７を設け、既存の台上に無電源式縦型スパイラル自動販売機１００を設置しても良い。
【００２０】
筐体１の内部には、展示部４に対応した位置に、縦型のスパイラル部材６が設けられている。なお、縦型のスパイラル部材６とは、通常、スパイラル部材６の長さ方向が鉛直方向であることを意味する。スパイラル部材６の各ピッチ間には、商品が挟まれている（収納されている）。なお、商品は、設置場所や、季節等に応じて購入者の嗜好が変化するため、スパイラル部材６は、商品の形状等に対応して、その商品に合ったピッチのものに交換できるようになっている。また、スパイラル部材６のピッチ数は、特に限定されないが、例えば１０個〜５０個程度とすることができる。
【００２１】
なお、無電源式縦型スパイラル自動販売機の場合、通常、筐体１の正面に位置する回転ハンドル３の回転軸方向と、縦型のスパイラル部材６の軸方向が同一ではない。そのため、図示しない軸連結部材により、回転ハンドル３の回転軸方向と、スパイラル部材６の軸方向とを一致させるように、その連結を保持する。
【００２２】
（実施例１の無電源式スパイラル自動販売機の使用例）
次に、図１及び図２を参照して説明した実施例１の無電源式縦型スパイラル自動販売機の動作例について、説明する。
【００２３】
先ず、顧客は、硬貨投入口２に所定の金額を投入して、回転ハンドル３を第１の所定量、回転させる。スパイラル部材６は、回転ハンドル３の第１の所定量の回転量に対応して、原点位置から次の原点位置まで３６０度回転するよう構成されている。これにより、商品がスパイラル部材６の１ピッチ分下方に送り出される。そして、最下端のピッチ間に挟まれている商品は、落下して、商品取り出し口５へと搬送される。
【００２４】
（実施例２の無電源式スパイラル自動販売機の構成例）
次に、スパイラル部材を水平方向に配置する無電源式横型スパイラル自動販売機の実施例について、図を参照して説明する。
【００２５】
図３に、実施例２に係る無電源式横型スパイラル自動販売機の概略斜視図を、図４に、実施例２に係る無電源式横型スパイラル自動販売機の内部の概略斜視図を示す。
【００２６】
図３及び図４に示すように、本実施例に係る無電源式横型スパイラル自動販売機２００は、例えば金属から構成される直方体（立方体であっても良い）である筐体１１を有する。無電源式横型スパイラル自動販売機１００では、後述するスパイラル部材を水平方向に配置するため、筐体１は、通常横長の直方体となることが多い。
【００２７】
筐体１１は、通常、前面又は裏面のいずれか一方の面を開口した本体と、この本体の開口を開閉自在に覆う外扉を備えて構成されており、この外扉を介して、内部に商品陳列可能に構成されている。
【００２８】
筐体１１の正面側には、商品を購入するための硬貨を投入する硬貨投入口１２と、筐体１１内に保持された商品を展示する展示部１４と、使用者が購入した商品を取り出す商品取り出し口１５と、が設けられる。
【００２９】
また、筐体１１の側面側には、硬貨投入口１２に所定の金額が投入された際に、第１の所定量回転可能となる回転ハンドル１３が設けられる。
【００３０】
硬貨投入口１２は、販売する商品の値段に応じて、所定の金額、例えば、１００円、２００円、３００円、５００円などの金額を投入可能に構成されている。そして、回転ハンドル１３は、通常時は回転不能に構成されており、この硬貨投入口１２に上記所定の金額が投入された際に、第１の所定量回転可能となるように構成されている。筐体１の内部には、硬貨収納部１９を有しており、投入された硬貨は、この硬貨収納部１９に収納される。
【００３１】
展示部１４は、商品の購入者が実際の商品を目視確認できるよう、及び、商品販売時に購入者の購入した商品が商品取り出し口１５に搬出される販売動作を目視確認できるように設けられており、例えば、ガラスやプラスチック等の透過性の材料で構成されている。
【００３２】
商品取り出し口１５は、展示部１４より下方に構成され、後述する商品購入方法により展示部１４から商品取り出し口１５に落下した商品を、筐体１１の外部から取り出し可能に構成されており、図３に示す例では、商品取り出し口１５は、取出口扉を有する。なお、展示部１４と商品取り出し口１５との間には、商品を商品取り出し口１５へと誘導するガイド部材１７（図４参照）を設けても良い。
【００３３】
なお、無電源式横型スパイラル自動販売機２００においても、筐体１１を直接、地面等の設置場所に設置しても良いし、図示しない台などの支持部材を筐体１１の底面に設けても良い。
【００３４】
筐体１１の内部には、展示部１４に対応した位置に、横型のスパイラル部材１６が設けられている。なお、横型のスパイラル部材１６とは、通常、スパイラル部材１６の長さ方向が水平方向であり、筐体の正面の長さ方向であることを意味する。スパイラル部材１６の各ピッチ間には、商品が挟まれている（収納されている）。
【００３５】
横型のスパイラル部材１６の場合、商品の大きさとスパイラル部材１６のピッチ間の幅とによっては、商品がスパイラル部材１６のピッチ間から落下してしまうことがある。そのため、スパイラル部材１６の下方側に、商品を支持するための支持台１８を設けることが好ましい。
【００３６】
また、商品は、設置場所や、季節等に応じて購入者の嗜好が変化するため、スパイラル部材１６は、商品の形状等に対応して、その商品に合ったピッチのものに交換できるようになっている。
【００３７】
（実施例２の無電源式スパイラル自動販売機の使用例）
次に、図３及び図４を参照して説明した実施例２の無電源式横型スパイラル自動販売機の動作例について、説明する。
【００３８】
先ず、顧客は、硬貨投入口１２に所定の金額を投入して、回転ハンドル１３を第１の所定量、回転させる。スパイラル部材１６は、回転ハンドル１３の第１の所定量の回転量に対応して、原点位置から次の原点位置まで３６０度回転するよう構成されている。これにより、商品がスパイラル部材１６の１ピッチ分前方に送り出される。そして、最先端のピッチ間に挟まれている商品は、落下して、商品取り出し口１５へと搬送される。
【００３９】
実施例１及び実施例２に係る無電源式スパイラル自動販売機は、無電源式であるため、設置場所を選ばない。また、一定の選択された商品のみをスパイラルで搬出するため、自動販売機を小型化することができる。そのため、実施例１及び実施例２に係る無電源式スパイラル自動販売機は、自立式で設置することも可能であるし、既存の台上に設置することも可能である。
【符号の説明】
【００４０】
１        筐体
２        硬貨投入口
３        回転ハンドル
４        商品展示部
５        商品取り出し口
６        スパイラル部材
７        支持部材
１１      筐体
１２      硬貨投入口
１３      回転ハンドル
１４      商品展示部
１５      商品取り出し口
１６      スパイラル部材
１７      ガイド部材
１８      支持台
１９      硬貨収納部
１００    無電源式縦型スパイラル自動販売機
２００    無電源式横型スパイラル自動販売機
【図１】
0003225921.tif 000003
【図２】
0003225921.tif 000004
【図３】
0003225921.tif 000005
【図４】
0003225921.tif 000006